(57)【特許請求の範囲】
【請求項１】
ライン電力端子（８９９）からの電力流を制御するように構成される負荷制御アセンブリ（１０２）と、
前記負荷制御アセンブリ（１０２）が前記ライン電力端子（８９９）からの電力流を制御できなかった場合、前記ライン電力端子（８９９）からの電力流を切断するように構成される負荷切断アセンブリ（１０４）と、
を含み、
前記負荷制御アセンブリ（１０２）は、
負荷アセンブリ（９０１）へ接続することと、
前記負荷切断アセンブリ（１０４）へと接続し、そのため使用時において電力が前記ライン電力端子（８９９）から前記負荷切断アセンブリ（１０４）および前記負荷制御アセンブリ（１０２）を介して前記負荷アセンブリ（９０１）へと流れることと、
前記ライン電力端子（８９９）からの電力流に関連した前記電力の特性を表示するように構成される表示信号（２１２）を提供することと、
制御コマンド信号（２０２）の受信に応答して前記ライン電力端子（８９９）からの電力流を制御することであって、前記制御コマンド信号（２０２）は、前記ライン電力端子（８９９）からの電力流を制御するようにコマンドを前記負荷制御アセンブリ（１０２）に与えるように、構成される、ことと、
を行うように構成され、
前記負荷制御アセンブリ（１０２）が電気故障状態を検出したが前記ライン電力端子（８９９）から前記負荷アセンブリ（９０１）への電力流を切断できなかった場合、前記負荷切断アセンブリ（１０４）は、前記ライン電力端子（８９９）からの電力流を切断するように構成される、
システム（１００）。
【請求項２】
前記負荷切断アセンブリ（１０４）によって受信されるべき切断コマンド信号（２０４）を送信するように構成されるコントローラアセンブリ（１０６）であって、前記切断コマンド信号（２０４）は、前記負荷制御アセンブリ（１０２）が前記ライン電力端子（８９９）からの電力流を制御できなかった場合、前記ライン電力端子（８９９）からの電力流を切断するようにコマンドを前記負荷切断アセンブリ（１０４）に与えるように構成される、コントローラアセンブリ（１０６）、
をさらに含む、請求項１のシステム（１００）。
【請求項３】
前記コントローラアセンブリ（１０６）は、前記負荷切断アセンブリ（１０４）および前記負荷制御アセンブリ（１０２）と信号を通信するように構成される、請求項２のシステム（１００）。
【請求項４】
前記負荷制御アセンブリ（１０２）によって受信されるべき前記制御コマンド信号（２０２）を送信するように構成されるコントローラアセンブリ（１０６）であって、前記制御コマンド信号（２０２）は、前記ライン電力端子（８９９）からの電力流を制御するようにコマンドを前記負荷制御アセンブリ（１０２）に与えるように構成される、コントローラアセンブリ（１０６）、
をさらに含む、請求項１のシステム（１００）。
【請求項５】
前記負荷切断アセンブリ（１０４）は、
前記ライン電力端子（８９９）へ接続することと、
切断コマンド信号（２０４）の受信に応答して、前記ライン電力端子（８９９）からの電力流を切断することであって、前記切断コマンド信号（２０４）は、前記ライン電力端子（８９９）からの電力流を切断するようにコマンドを前記負荷切断アセンブリ（１０４）に与えるように構成される、ことと、
を行うように構成される、請求項１のシステム（１００）。
【請求項６】
前記コントローラアセンブリ（１０６）は、
前記負荷切断アセンブリ（１０４）へ接続することと、
前記負荷制御アセンブリ（１０２）へ接続することと、
前記負荷制御アセンブリ（１０２）から前記表示信号（２１２）を受信することと、
前記制御コマンド信号（２０２）を前記負荷制御アセンブリ（１０２）へ送信することと、
を行うように構成される、請求項２のシステム（１００）。
【請求項７】
前記負荷切断アセンブリ（１０４）が動作しなかった場合、前記コントローラアセンブリ（１０６）は、
前記制御コマンド信号（２０２）を前記負荷制御アセンブリ（１０２）へ送信することであって、前記制御コマンド信号（２０２）は、前記ライン電力端子（８９９）からの電力流を切断するようにコマンドを前記負荷制御アセンブリ（１０２）に与えるように構成される、こと、
を行うように構成される、請求項２のシステム（１００）。
【請求項８】
前記負荷制御アセンブリ（１０２）が動作しなかった場合、前記コントローラアセンブリ（１０６）は、
前記切断コマンド信号（２０４）を前記負荷切断アセンブリ（１０４）へ送信することであって、前記切断コマンド信号（２０４）は、前記ライン電力端子（８９９）からの電力流を切断するようにコマンドを前記負荷切断アセンブリ（１０４）に与えるように構成される、こと、
を行うように構成される、請求項２のシステム（１００）。
【請求項９】
前記コントローラアセンブリ（１０６）が前記負荷制御アセンブリ（１０２）と通信できなかった場合、前記負荷切断アセンブリ（１０４）は、前記ライン電力端子（８９９）からの電力流を切断する、
請求項２のシステム（１００）。
【請求項１０】
前記コントローラアセンブリ（１０６）が前記負荷切断アセンブリ（１０４）と通信できなかった場合、前記負荷制御アセンブリ（１０２）は、前記ライン電力端子（８９９）からの電力流を切断する、
請求項２のシステム（１００）。
【請求項１１】
前記ライン電力端子（８９９）からの電力流と関連付けられた電気故障状態を前記負荷制御アセンブリ（１０２）が検出した場合、前記負荷制御アセンブリ（１０２）は、前記ライン電力端子（８９９）からの電力流を切断するように構成される、
請求項１のシステム（１００）。
【請求項１２】
前記負荷制御アセンブリ（１０２）が動作可能であると前記コントローラアセンブリ（１０６）が決定した場合、前記コントローラアセンブリ（１０６）は、前記負荷制御アセンブリ（１０２）を用いて前記負荷アセンブリ（９０１）への電力流を制御する、
請求項２のシステム（１００）。
【請求項１３】
前記負荷制御アセンブリ（１０２）は、
前記負荷切断アセンブリ（１０４）へ接続するように構成される入力端子（１２０）と、
前記ライン電力端子（８９９）から前記負荷アセンブリ（９０１）へ流れる電流の量を検出および表示するように構成される、電流センサー（１２２）と、
前記電流センサー（１２２）へ接続された第１の光分離アセンブリ（１２４Ａ）と、
前記第１の光分離アセンブリ（１２４Ａ）へ接続されるアナログ／デジタルコンバータアセンブリ（１２６）であって、前記アナログ／デジタルコンバータアセンブリ（１２６）は、コントローラアセンブリ（１０６）へ接続される、アナログ／デジタルコンバータアセンブリ（１２６）と、
前記コントローラアセンブリ（１０６）へ接続される電力制御アセンブリ（１２８）と、
前記電力制御アセンブリ（１２８）へ接続される第２の光分離アセンブリ（１２４Ｂ）と、
前記第２の光分離アセンブリ（１２４Ｂ）へ接続される固体負荷スイッチアセンブリ（１３０）であって、前記固体負荷スイッチアセンブリ（１３０）は、前記ライン電力端子（８９９）からの電力が前記負荷アセンブリ（９０１）へ流れることを可能にするように構成され、また、前記ライン電力端子（８９９）から前記負荷アセンブリ（９０１）への電力流を切断するように構成される、固体負荷スイッチアセンブリ（１３０）と、
前記固体負荷スイッチアセンブリ（１３０）を前記負荷アセンブリ（９０１）へ接続させるように構成される出力端子（１３２）と、
を含む、請求項１のシステム（１００）。
【請求項１４】
前記負荷アセンブリ（９０１）の温度量を感知するように構成される熱センサーアセンブリ（１３４）であって、前記熱センサーアセンブリ（１３４）は、前記コントローラアセンブリ（１０６）へ接続される、熱センサーアセンブリ（１３４）、
をさらに含む、請求項２のシステム（１００）。
【請求項１５】
前記コントローラアセンブリ（１０６）を前記負荷切断アセンブリ（１０４）へ接続させるインターフェース回路（１３６）、
をさらに含む、請求項２のシステム（１００）。
【請求項１６】
請求項１乃至１５のいずれか一項に記載のシステム（１００）を有する成形システム（９００）。
【請求項１７】
請求項１乃至１５のいずれか一項に記載のシステム（１００）を有する、多ゾーンヒーターシステム（１０１）。
【請求項１８】
請求項１乃至１５のいずれか一項に記載のシステム（１００）を有する多ゾーンヒーターシステム（１０１）であって、前記システム（１００）は、成形システム（９００）へ接続されたヒーターアセンブリ（９０３）を制御するように構成される、システム（１００）。
【請求項１９】
請求項１乃至１５のいずれか一項に記載のシステム（１００）を有する、ランナーシステム（９１６）。
【請求項２０】
請求項１乃至１５のいずれか一項に記載のシステム（１００）を有する、モールドアセンブリ（９１８）。
【発明の詳細な説明】
【技術分野】
【０００１】
局面（アスペクト）は、制御失敗時において電力を切断するためのシステムに主に関連する（がこれに限定されない）。このシステムは、制御失敗時において電力を切断するためのシステムを有する成形システムを（非限定的に）含む。
【背景技術】
【０００２】
米国特許第３９３６６９９において、接地故障検出回路が開示されている。
米国特許第４１４９２１０において、回路ブレーカが開示されている。
米国特許第４３７０６９２において、接地故障遮断器型デバイスが開示されている。
米国特許第５６５４８５７において、接地故障回路遮断システムが開示されている。
米国特許第５８４１６１５において、接地故障回路遮断システムが開示されている。
【先行技術文献】
【特許文献】
【０００３】
【特許文献１】米国特許第３９３６６９９号明細書
【特許文献２】米国特許第４１４９２１０号明細書
【特許文献３】米国特許第４３７０６９２号明細書
【特許文献４】米国特許第５６５４８５７号明細書
【特許文献５】米国特許第５８４１６１５号明細書
【発明の概要】
【発明が解決しようとする課題】
【０００４】
公知の使い捨て型ヒューズアセンブリの欠陥として、（自己破壊的に爆発するため）１回だけしか使用できないため、交換用ヒューズアセンブリと交換する必要がある点がある。使い捨て型ヒューズアセンブリの場合、占有空間が大きく、不要な（望ましくない）熱が大量に発生する。このようなさらなる不要な熱に起因して、隣接配置されたコンポーネントの性能に（望ましくない）悪影響も発生し得る。隣接配置されたコンポーネントが通常の温度範囲内において作動した場合、当該コンポーネントの信頼性が増す。単一使用で破壊するヒューズアセンブリの場合、各トリップイベント後において交換が必要となる。短絡状態および過負荷状態のいずれが生じた場合も、過電流条件の原因となり得、その結果、ヒューズアセンブリの自己破壊が発生する。使い捨て型ヒューズの場合、低レベル過負荷に応答した場合において不愉快な動作が発生し得、その結果交換が必要となり得る。その結果、装備、例えば、成形システムの不要なダウンタイムが発生する。
【課題を解決するための手段】
【０００５】
上記した問題のうち少なくとも一部を少なくとも部分的に軽減するために、本解決法の第１の局面によればによれば、システム（１００）が提供される。システム（１００）は、以下を（非限定的に）含む：負荷切断アセンブリ（１０４）は、負荷制御アセンブリ（１０２）がライン電力端子（８９９）からの電力流を制御できなかった場合、ライン電力端子（８９９）からの電力流を切断するように構成される。負荷制御アセンブリ（１０２）は、ライン電力端子（８９９）からの電力流を制御するように構成される。
【０００６】
上記した問題のうち少なくとも一部を少なくとも部分的に軽減するために、本解決法の第２の局面によれば、システム（１００）が提供される。システム（１００）は、以下を含む（が、これに限定されない）：（ｉ）ライン電力端子（８９９）からの電力流を制御するように構成される負荷制御アセンブリ（１０２）、および（ｉｉ）負荷制御アセンブリ（１０２）がライン電力端子（８９９）からの電力流を制御できなかった場合、ライン電力端子（８９９）からの電力流を切断するように構成される負荷切断アセンブリ（１０４）。
【０００７】
上記した問題のうち少なくとも一部を少なくとも部分的に軽減するために、本解決法の第３の局面によれば、方法が提供される。方法は、以下を含む（が、これに限定されない）：（ｉ）ライン電力端子（８９９）からの電力流を制御すること、および（ｉ）ライン電力端子（８９９）からの電力流を制御できなかった場合、ライン電力端子（８９９）からの電力流を切断すること。
本解決法の他の局面について、以下の記載および／または特許請求の範囲に示す。
【発明の効果】
【０００８】
一般的に、システム（１００）は、公知の使い捨て型ヒューズアセンブリよりもコンパクトかつ高信頼性であり得る。システム（１００）は、より信頼性高く動作することができ、公知の使い捨て型ヒューズアセンブリの場合よりもより小型のヒートシンクを必要とし得る。システム（１００）はまた、使い捨て型ヒューズアセンブリから発生する不要な熱を発散すること無く、公知の使い捨て型ヒューズアセンブリの特性を提供することもできる。
【０００９】
当業者にとって、以下の非限定的な実施形態の詳細な説明を添付図面と共に読めば、非限定的な実施形態の他の局面および特徴が明らかである。
【００１０】
以下の非限定的な実施形態の詳細な説明を添付図面と共に参照すれば、非限定的な実施形態がより深く理解される。
図面は必ずしも縮尺通りではなく、極細線、図表示および部分図によって示される場合がある。特定の場合において、実施形態（および／または他の詳細を理解が困難にさせる詳細）の理解に不必要な詳細については、説明を控える場合がある。
【図面の簡単な説明】
【００１１】
【図１】システム（１００）の模式的表現の例を示す。
【図２】システム（１００）の模式的表現の例を示す。
【図３】システム（１００）の模式的表現の例を示す。
【図４】システム（１００）の模式的表現の例を示す。
【発明を実施するための形態】
【００１２】
ここで図１を参照して、一般的に、システム（１００）の模式図が例示されている。システム（１００）は、ライン電力端子（８９９）から負荷アセンブリ（９０１）への電力流を制御するように構成される。例示目的のため、負荷アセンブリ（９０１）は、図４のヒーターアセンブリ（９０３）を（非限定的に）含み得る。図４のヒーターアセンブリ（９０３）は、モールドアセンブリ（９１８）を加熱する目的のために成形システム（９００）上において用いることができるし、あるいは、押出機アセンブリ（９０２）の加熱のために用いることもできる。
【００１３】
第１の一般的局面によれば、システム（１００）は、負荷切断アセンブリ（１０４）を（非限定的に）含む。負荷切断アセンブリ（１０４）は、負荷制御アセンブリ（１０２）がライン電力端子（８９９）からの電力流を制御できなかった場合、ライン電力端子（８９９）からの電力流を切断するように、構成される。負荷制御アセンブリ（１０２）は、ライン電力端子（８９９）からの電力流を制御するように構成される。
【００１４】
第２の一般的局面によれば、システム（１００）は、負荷制御アセンブリ（１０２）および負荷切断アセンブリ（１０４）双方の組み合わせを（非限定的に）含む。
【００１５】
負荷切断アセンブリ（１０４）および負荷制御アセンブリ（１０２）は、協働して負荷アセンブリ（９０１）へのライン電力端子（８９９）を（直接的にまたは間接的に）接続するように構成され、これにより、ライン電力端子（８９９）から電力が負荷アセンブリ（９０１）へと流れる。
【００１６】
一般的に、負荷制御アセンブリ（１０２）は、ライン電力端子（８９９）からの電力流を制御するように構成される。「制御」という用語は、方法によって制御または方向付けること、何らかの基準または要求に調整すること、動作精度を確保するように調整すること、変更（増加、低減および／または切断）することを意味することが理解される。例示目的のため（任意選択的に）、負荷制御アセンブリ（１０２）は、以下を（非限定的に）含む：固体コンポーネントまたは要素（例えば、ＴＲＩＡＣ（トライアック）、ＳＣＲ（シリコン制御整流子）、相補型ＭＯＳＦＥＴ（金属酸化膜半導体電界効果トランジスタ）、ソリッドステートリレー（ＳＳＲ）など。負荷制御アセンブリ（１０２）は、電源供給ライン内における接触を物理的に破壊せずかつ電源供給ライン内を流れる電力流を停止することができるアセンブリとして定義され得る。負荷制御アセンブリ（１０２）は、固体（ソリッドステート）コンポーネントおよび／または非固体コンポーネント（例えば、機械的リレー、電気機械スイッチ）を（非限定的に）含み得ることが理解される。
【００１７】
負荷切断アセンブリ（１０４）は、負荷制御アセンブリ（１０２）がライン電力端子（８９９）からの電力流を制御できなかった場合、ライン電力端子（８９９）からの電力流を切断するように構成される。例示目的のため、負荷切断アセンブリ（１０４）は、例えばリレー接点を有する電気機械スイッチを（非限定的に）含む。負荷切断アセンブリ（１０４）は、ライン電力端子（８９９）からの電力流を停止するために、電源供給ライン内における接触を物理的に破壊するアセンブリとして定義され得る。公知の使い捨て型単一使用で破壊するヒューズアセンブリとは異なって、負荷切断アセンブリ（１０４）は再利用可能である。別の例示目的のため、負荷切断アセンブリ（１０４）は、固体コンポーネントおよび／または非固体コンポーネント（例えば、機械的リレー、電気機械リレー）を（非限定的に）含み得る。負荷切断アセンブリ（１０４）の電気機械的リレー接点により、入力端子（１２０）とライン電力端子（８９９）との間の物理的および電気的絶縁を得ることができる。
【００１８】
図１のシステム（１００）に関連する上記記載は、図２、図３および図４に示すシステム（１００）についての記載も適用可能であることが理解される。
【００１９】
ここで図２を参照して、システム（１００）のより具体的な例が図示されている。この例において、システム（１００）は、コントローラアセンブリ（１０６）をさらに（非限定的に）含む。コントローラアセンブリ（１０６）は、デジタル処理ユニット（例えば、デジタルプロセッサ、中央処理ユニット）であってもよくかつ／またはアナログコントローラ（アナログコンピュータ）であってもよい。
【００２０】
一般的に、コントローラアセンブリ（１０６）は、負荷切断アセンブリ（１０４）および負荷制御アセンブリ（１０２）との信号および／またはコマンドの通信（送信および／または受信）を行うように、構成される。例えば、コントローラアセンブリ（１０６）はまた、負荷制御アセンブリ（１０２）によって受信されるべき制御コマンド信号（２０２）を送信するように構成される。制御コマンド信号（２０２）は、ライン電力端子（８９９）からの電力流を制御するようにコマンドを負荷制御アセンブリ（１０２）に与えるように構成される。コントローラアセンブリ（１０６）は、負荷切断アセンブリ（１０４）によって受信されるべき切断コマンド信号（２０４）を送信するように構成される。切断コマンド信号（２０４）は、負荷制御アセンブリ（１０２）がライン電力端子（８９９）からの電力流を制御できなかった場合ライン電力端子（８９９）からの電力流を切断するようにコマンドを負荷切断アセンブリ（１０４）に与えるように構成される。コントローラアセンブリ（１０６）は、負荷制御アセンブリ（１０２）から表示信号（２１２）を受信するように構成される。表示信号（２１２）は、ライン電力端子（８９９）からの電力流に関連する電力の特性を示すように構成される（この特性は、例えば、感知された電流の量であり得る）。
【００２１】
負荷切断アセンブリ（１０４）は、（ｉ）ライン電力端子（８９９）へ（直接的にまたは間接的に）接続することと、（ｉｉ）切断コマンド信号（２０４）の受信に応答して、ライン電力端子（８９９）からの電力流を（直接的にまたは間接的に）切断することとを行うように構成される。切断コマンド信号（２０４）は、ライン電力端子（８９９）からの電力流を切断するようにコマンドを負荷切断アセンブリ（１０４）に与えるように構成される。
【００２２】
負荷制御アセンブリ（１０２）は、（ｉ）負荷アセンブリ（９０１）へ（直接的にまたは間接的に）接続することと、（ｉｉ）負荷切断アセンブリ（１０４）へ（直接的にまたは間接的に）接続することにより、使用時においてライン電力端子（８９９）からの電力を負荷切断アセンブリ（１０４）および負荷制御アセンブリ（１０２）を介して負荷アセンブリ（９０１）へと流すことと、（ｉｉｉ）表示信号（２１２）を提供することと、（ｉｖ）コントローラアセンブリ（１０６）からの制御コマンド信号（２０２）の受信に応答して、ライン電力端子（８９９）からの電力流を（直接的にまたは間接的に）制御することとを行うように構成される。「制御する」という用語は、完全に切断すること、変更すること、低減すること、増加させることなどを意味することが理解される。
【００２３】
コントローラアセンブリ（１０６）は、（ｉ）（直接的にまたは間接的に）負荷切断アセンブリ（１０４）へ接続することと、（ｉｉ）（直接的にまたは間接的に）負荷制御アセンブリ（１０２）へ接続することと、、（ｉｉｉ）負荷制御アセンブリ（１０２）からの表示信号（２１２）を（直接的にまたは間接的に）受信することと、（ｉｖ）（直接的にまたは間接的に）制御コマンド信号（２０２）を負荷制御アセンブリ（１０２）へ送信することと、（ｖ）切断コマンド信号（２０４）を負荷切断アセンブリ（１０４）へ送信することと、を行うように構成される。
【００２４】
負荷切断アセンブリ（１０４）が動作しなかった場合、コントローラアセンブリ（１０６）は、（直接的にまたは間接的に）、制御コマンド信号（２０２）を負荷制御アセンブリ（１０２）へ送信するように構成される。制御コマンド信号（２０２）は、また更に、ライン電力端子（８９９）からの電力流を切断するようにコマンドを負荷制御アセンブリ（１０２）に与えるように構成される。なぜならば、負荷切断アセンブリ（１０４）が動作しなくなるかまたは切断コマンド信号（２０４）に応答するからである。
【００２５】
負荷制御アセンブリ（１０２）が動作しなかった場合、コントローラアセンブリ（１０６）は、（直接的にまたは間接的に）切断コマンド信号（２０４）を負荷切断アセンブリ（１０４）へ送信することを行うように構成される。この場合、切断コマンド信号（２０４）はまた、ライン電力端子（８９９）からの電力流を切断するようにコマンドを負荷切断アセンブリ（１０４）に与えるようにさらに構成される。なぜならば、負荷制御アセンブリ（１０２）は、制御コマンド信号（２０２）に応答しないかまたは他の故障の理由に応答すべきであるからである。
【００２６】
コントローラアセンブリ（１０６）が負荷切断アセンブリ（１０４）と通信できなかった場合、負荷制御アセンブリ（１０２）は、ライン電力端子（８９９）からの電力流を切断するように動作または機能する。（例えば）コントローラアセンブリ（１０６）と負荷切断アセンブリ（１０４）との間の定期的ハンドシェイクを発生させることにより、ライン電力端子（８９９）からの電力流の負荷切断アセンブリ（１０４）による切断を回避することができることが理解される。
【００２７】
コントローラアセンブリ（１０６）が負荷制御アセンブリ（１０２）と通信できなかった場合、負荷切断アセンブリ（１０４）は、ライン電力端子（８９９）からの電力流を切断する。（例えば）コントローラアセンブリ（１０６）と負荷制御アセンブリ（１０２）との間の定期的ハンドシェイクを発生させることにより、ライン電力端子（８９９）からの電力流の負荷制御アセンブリ（１０２）による切断を回避することができることが理解される。
【００２８】
ライン電力端子（８９９）からの電力流と関連付けられた電気故障状態を負荷制御アセンブリ（１０２）が検出した場合、負荷制御アセンブリ（１０２）は、ライン電力端子（８９９）からの電力流を切断するようにさらに構成される。この場合、負荷制御アセンブリ（１０２）は、専用コントローラユニット（図示せず）を含み得る。この専用コントローラユニットは、負荷制御アセンブリ（１０２）に電力流を切断させるための局所決定を下すために、自身の実行可能な命令を用いる。
【００２９】
ライン電力端子（８９９）からの電力流と関連付けられた電気故障状態を負荷制御アセンブリ（１０２）が検出した場合、負荷制御アセンブリ（１０２）は、ライン電力端子（８９９）からの電力流を切断するようにコマンド信号を負荷切断アセンブリ（１０４）へ発行するようにさらに構成される。この場合、負荷制御アセンブリ（１０２）は、専用コントローラユニット（図示せず）を含み得る。この専用コントローラユニットは、負荷切断アセンブリ（１０４）へのコマンド信号を介して電力流を負荷制御アセンブリ（１０２）に切断させるための局所決定を下すための自身の実行可能な命令を用いる。
【００３０】
負荷制御アセンブリ（１０２）が動作可能であるとコントローラアセンブリ（１０６）が決定した場合、コントローラアセンブリ（１０６）は、負荷制御アセンブリ（１０２）を用いて、負荷アセンブリ（９０１）への電力流を制御（調整）する。
【００３１】
より詳細には、コントローラアセンブリ（１０６）は、インターフェースコンポーネントを介して負荷切断アセンブリ（１０４）および負荷制御アセンブリ（１０２）の動作を制御するように構成される。これらのインターフェースコンポーネントについて、以下にさらに説明し、図３中に示す。図２に示す例によれば、メモリアセンブリ（１０８）は、コントローラアセンブリ（１０６）へと接続される。ヒューマンマシンインターフェースアセンブリ（１１０）をコントローラアセンブリ（１０６）へ接続することにより、システム（１００）のオペレータがコントローラアセンブリ（１０６）のプログラミングを介してシステム（１００）の動作を調整することが可能になる。ヒューマンマシンインターフェースアセンブリ（１１０）は、（例示目的のためかつ非限定的に）表示ユニット、キーボード、ポインタデバイスなどを含み得る。メモリアセンブリ（１０８）は、プロセッサにより実行可能な命令をタンジブルに具現化する。これらの命令は、コントローラアセンブリ（１０６）に多様な機能またはタスク（方法または方法ステップまたは動作ステップ）を行わせるように、構成される。
【００３２】
任意選択肢によれば、複数のシステム（１００）が用いられる場合、単一の集中型電源（公知であり、図示せず）を用いて、コントローラアセンブリ（１０６）およびから各システム（１００）への電力の供給および制御を行うことができる。単一の（集中）電源は、ライン電力端子（８９９）へと接続され得る。コントローラアセンブリ（１０６）は、メモリアセンブリ（１０８）内に保存された、プロセッサにより実行可能な命令（制御プログラム）を実行する。システム（１００）は、単一のモジュールおよび／または単一のカード上に組み立てられ得る。この単一のカードは、所望であれば、コントローラアセンブリ（１０６）とインダストリアル・ラック・システム（公知であり、図示せず）内に取付可能または受容可能である。
【００３３】
例示目的のため、コントローラアセンブリ（１０６）は、基本的な計算、論理および入力／出力動作を行うために、コントローラにより実行可能なプログラムの実行可能な命令を実行するように構成される。コントローラアセンブリ（１０６）は、プリント回路基板を１つ以上含み得る。コントローラアセンブリ（１０６）は、マイクロプロセッサと呼ばれる単一のチップ中に収容され得る。コントローラアセンブリ（１０６）の２つのコンポーネントは、算術論理演算ユニット（ＡＬＵ）および制御ユニット（ＣＵ）である。算術論理演算ユニット（ＡＬＵ）は、算術動作および論理動作を行う。制御ユニット（ＣＵ）は、メモリからの命令を抽出し、これらの命令を復号化および実行し、必要な場合にＡＬＵ上に呼び出される。コントローラアセンブリ（１０６）は、アレイプロセッサまたはベクトルプロセッサを（非限定的に）含み得る。アレイプロセッサまたはベクトルプロセッサは、複数の並列コンピューティング要素を有し、「中心」としてみなされるユニットは存在しない。分散型コンピューティングモデルの場合、コントローラアセンブリ（１０６）は、分散して相互接続された１組のプロセッサによって動作する。
【００３４】
ここで図３を参照して、システム（１００）のより詳細な例が図示されている。図３のシステム（１００）は、負荷制御アセンブリ（１０２）が以下を（非限定的に）含むように、さらに適合される：入力端子（１２０）、電流センサー（１２２）、第１の光分離アセンブリ（１２４Ａ）、アナログ／デジタルコンバータアセンブリ（１２６）、電力制御アセンブリ（１２８）、第２の光分離アセンブリ（１２４Ｂ）、固体負荷スイッチアセンブリ（１３０）、および出力端子（１３２）、および熱センサーアセンブリ（１３４）。入力端子（１２０）は、負荷切断アセンブリ（１０４）へ（直接的にまたは間接的に）接続するように、構成される。電流センサー（１２２）は、ライン電力端子（８９９）から流れてくる電流量の表示を検出（感知）するように、構成される。第１の光分離アセンブリ（１２４Ａ）は、電流センサー（１２２）へと接続される。第１の光分離アセンブリ（１２４Ａ）は、負荷制御アセンブリ（１０２）内において用いられるコンポーネントの残りから電流センサー（１２２）を物理的（かつ電気的に）絶縁するように、構成される。アナログ／デジタルコンバータアセンブリ（１２６）は、第１の光分離アセンブリ（１２４Ａ）へと接続される。測定（感知、検出）された電流信号は、第１の光分離アセンブリ（１２４Ａ）を介してアナログ／デジタルコンバータアセンブリ（１２６）へと提供される。アナログ／デジタルコンバータアセンブリ（１２６）は、電流センサー（１２２）によって測定された測定アナログ電流の複数の別個のサンプルに基づいて、測定された電流のデジタル信号を出力する。アナログ／デジタルコンバータアセンブリ（１２６）は、コントローラアセンブリ（１０６）へと接続される。
【００３５】
コントローラアセンブリ（１０６）は、メモリアセンブリ（１０８）中に保存されたプロセッサにより実行可能な命令を介してデジタル電流信号を評価するようにプログラムされる。このデジタル電流信号は、負荷アセンブリ（９０１）を通過するアナログ電流を示す。コントローラアセンブリ（１０６）は、デジタル値と、メモリアセンブリ（１０８）中に保存された、引き外し（トリッピング）電流の事前プログラムされた設定値（または事前プログラムされた電流対時間特性）とを比較する。コントローラアセンブリ（１０６）によって行われた比較の比率に応じて、コントローラアセンブリ（１０６）は、（事前プログラムされた実行可能な命令に基づいて）、何もしないこと、または、負荷アセンブリ（９０１）への電力（電流）を遮断するためにコマンド信号を送信すること、すなわち、（例えば）コントローラアセンブリ（１０６）によって行われた現在の比較の比率に基づいて、回路を開き、電流流れを停止することを決定する。コントローラアセンブリ（１０６）は、メモリアセンブリ（１０８）への実際の電流をログ（すなわち、記録）し、更に、測定された電流が事前設定された電流値を超えたイベントをログまたは記録し得る。さらに、コントローラアセンブリ（１０６）は、例えば産業バス、例えば、ＥｔｈｅｒＣＡＴ（制御自動化技術のためのＥｔｈｅｒｎｅｔ（登録商標））を介して、図４の成形システム（９００）の機械制御ＩＰＣ（公知の産業プログラマブルコンピュータ（図示せず））へログ情報を返送し得る。機械制御ＩＰＣは、引外し電流値（または特性曲線）を産業バス通じてリモートにプログラムすることもできる。コントローラアセンブリ（１０６）は、システム（１００）がさらなる機能（例を非限定的に挙げると）出力および電圧を監視することを可能にし得る。
【００３６】
電力制御アセンブリ（１２８）は、コントローラアセンブリ（１０６）へと接続される。第２の光分離アセンブリ（１２４Ｂ）は、電力制御アセンブリ（１２８）へと接続される。第２の光分離アセンブリ（１２４Ｂ）は、ライン電力端子（８９９）または負荷アセンブリ（９０１）を介して電力制御アセンブリ（１２８）を固体負荷スイッチアセンブリ（１３０）から電気的かつ物理的に絶縁するように構成される。固体負荷スイッチアセンブリ（１３０）は、第２の光分離アセンブリ（１２４Ｂ）へと接続される。電力制御アセンブリ（１２８）は、固体負荷スイッチアセンブリ（１３０）を制御するように構成される。固体負荷スイッチアセンブリ（１３０）は、コントローラアセンブリ（１０６）から提供された信号に基づいて負荷アセンブリ（９０１）に対し電流をオンしまたはオフするように切り換える。固体負荷スイッチアセンブリ（１３０）の例は、以下を（非限定的に）含む：固体電子コンポーネント（例えば、）ＴＲＩＡＣ（トライアック）、ＳＣＲ（シリコン制御整流子）、または相補型ＭＯＳＦＥＴ（金属酸化膜半導体電界効果トランジスタ）。固体負荷スイッチアセンブリ（１３０）は、ライン電力端子（８９９）から負荷アセンブリ（９０１）への電力（例えば、電流）の流れを許容（および制御）するように構成され、また、ライン電力端子（８９９）から負荷アセンブリ（９０１）への電力（電流）の流れを切断するように構成される。出力端子（１３２）は、固体負荷スイッチアセンブリ（１３０）を（直接的にまたは間接的に）負荷アセンブリ（９０１）へと接続するように、構成される。熱センサーアセンブリ（１３４）は、負荷アセンブリ（９０１）の動作に関連する温度の量を感知するように、構成される。熱センサーアセンブリ（１３４）は、（直接的にまたは間接的に通信バスシステムを介して）直接的にまたは間接的にネットワーク接続などを介してコントローラアセンブリ（１０６）へと接続される。システム（１００）は、コントローラアセンブリ（１０６）を負荷切断アセンブリ（１０４）へと接続させるインターフェース回路（１３６）をさらに（非限定的に）含み得る。例示目的のため、インターフェース回路（１３６）は、プログラマブル論理コントローラ（非限定的に）含む。
【００３７】
感知制御ループは、以下のコンポーネントを含む：（ｉ）電流センサー（１２２）、第１の光分離アセンブリ（１２４Ａ）および第２の光分離アセンブリ（１２４Ｂ）、アナログ／デジタルコンバータアセンブリ（１２６）、コントローラアセンブリ（１０６）、電力制御アセンブリ（１２８）、固体負荷スイッチアセンブリ（１３０）、およびコントローラアセンブリ（１０６）と関連付けられた実行可能なプログラム。例示目的のため、感知制御ループのための適切な処理を確保するための方法として、標準規格（例えば、ＩＥＣ（国際電気標準会議）の標準規格６１５８０および／またはＩＥＣ標準規格６２０６１）中に記載されている方法がある。
【００３８】
関連する安全設計プロセス（ただし、所望される場合）に関連する他の要求と相まって、既知の合格／不合格基準、認識された規格、例えば、ＵＬ（保険業者安全試験所）規格２４８（ヒューズ）および／またはＵＬ規格４８９（回路ブレーカ）に従って、システム（１００）の実際の性能を試験することができる。これらのＵＬ基準により、より従来の分岐回路保護回路要素についての構造要求および性能要求のソースが得られる。遵守されている安全関連設計方法を用いることにより、受容されている基準からの主要性能要求をシステム（１００）の要求へマッピングすることができる。
【００３９】
図３に示すようなシステム（１００）は、単一のゾーン熱制御のために構成されることが理解される。システム（１００）は、図４に示すような複数のゾーン熱制御において用いることができることが企図される。
【００４０】
ここで、図４に示すような別の特定の例を参照して、複数の負荷アセンブリ（９０１）が存在する場合における成形システム（９００）が示されている。成形システム（９００）は、（例えば）射出成形システムとも呼ばれる。図４に示すように、成形システム（９００）は、上述したようなシステム（１００）を有する。既存の成形システムをシステム（１００）に合わせて改造することが可能であることが理解される。また、新規の成形システムをユーザへの販売時においてシステム（１００）に備え付けることも可能である。図４に示すように、システム（１００）は、複数の負荷切断アセンブリ（１０４）と、負荷アセンブリ（９０１）の各場合において必要となるよううな複数の負荷制御アセンブリ（１０２）とを（非限定的に）含む。
【００４１】
負荷アセンブリ（９０１）は、成形システム（９００）へ接続された複数のヒーターアセンブリ（９０３）を含む。多ゾーンヒーターシステム（１０１）は、システム（１００）のうち少なくとも１つ以上（すなわち、複数のシステム（１００））を（非限定的に）含む。多ゾーンヒーターシステム（１０１）は、成形システム（９００）へ接続されたヒーターアセンブリ（９０３）を制御するように構成される。多ゾーンヒーターシステム（１０１）は、（例えば）押出機アセンブリ（９０２）および／またはランナーシステム（９１６）および／またはモールドアセンブリ（９１８）の加熱ゾーンの制御のために用いられ得る。システム（１００）は、所望であれば、電気的モータ負荷の保護にも用いることができることが理解される。
【００４２】
成形システム（９００）は、以下を（非限定的に）含む：（ｉ）押出機アセンブリ（９０２）、（ｉｉ）クランプアセンブリ（９０４）、（ｉｉｉ）ランナーシステム（９１６）および／または（ｉｖ）モールドアセンブリ（９１８）。例示目的のため、押出機アセンブリ（９０２）は、使用時において、加熱された流動性樹脂を調製するように構成され、また、押出機アセンブリ（９０２）からの樹脂をランナーシステム（９１６）へと射出または移動させるように構成される。押出機アセンブリ（９０２）のための他の名前を挙げると、射出ユニット、溶融調製システムなどがある。例示目的のため、クランプアセンブリ（９０４）は、以下を（非限定的に）含む：（ｉ）固定プラテン（９０６）、（ｉｉ）可動プラテン（９０８）、（ｉｉｉ）ロッドアセンブリ（９１０）、（ｉｖ）クランプアセンブリ（９１２）、および／または（ｖ）ロックアセンブリ（９１４）。固定プラテン（９０６）は、移動しない。すなわち、固定プラテン（９０６）は、地面または床に相対して固定することができる。可動プラテン（９０８）は、固定プラテン（９０６）に対して可動となるように構成される。プラテン移動機構（図示しないが公知のもの）が可動プラテン（９０８）へと接続され、プラテン移動機構は、使用時において可動プラテン（９０８）を移動させるように構成される。ロッドアセンブリ（９１０）は、可動プラテン（９０８）と、固定プラテン（９０６）との間に延びる。ロッドアセンブリ（９１０）は、例示目的のため、４つのロッド構造を持ち得る。これら４つのロッド構造は、各固定プラテン（９０６）および可動プラテン（９０８）の角（コーナー）部に配置される。ロッドアセンブリ（９１０）は、可動プラテン（９０８）の固定プラテン（９０６）に対する移動を誘導（案内）するように構成される。クランプアセンブリ（９１２）は、ロッドアセンブリ（９１０）へと接続される。固定プラテン（９０６）は、クランプアセンブリ（９１２）の位置を支持する。ロックアセンブリ（９１４）は、ロッドアセンブリ（９１０）へ接続してもよいし、あるいは可動プラテン（９０８）へ接続してもよい。ロックアセンブリ（９１４）は、ロッドアセンブリ（９１０）を可動プラテン（９０８）に対して選択的にロックおよびロック解除するように、構成される。例示目的のため、ランナーシステム（９１６）は、固定プラテン（９０６）へ取り付けられるかまたは固定プラテン（９０６）によって支持される。ランナーシステム（９１６）は、押出機アセンブリ（９０２）からの樹脂を受容するように構成される。例示目的のため、モールドアセンブリ（９１８）は、以下を（非限定的に）含む：（ｉ）モールドキャビティアセンブリ（９２０）、および（ｉｉ）モールドキャビティアセンブリ（９２０）に対して可動であるモールドコアアセンブリ（９２２）。モールドコアアセンブリ（９２２）は、可動プラテン（９０８）へと取り付けられるかまたは可動プラテン（９０８）によって支持される。モールドコアアセンブリ（９２２）がモールドキャビティアセンブリ（９２０）に対向するように、モールドキャビティアセンブリ（９２０）がランナーシステム（９１６）へ取り付けられるかまたは支持される。ランナーシステム（９１６）は、押出機アセンブリ（９０２）からの樹脂をモールドアセンブリ（９１８）へ分配するように構成される。
【００４３】
動作時において、可動プラテン（９０８）を固定プラテン（９０６）へと移動させて、モールドキャビティアセンブリ（９２０）をモールドコアアセンブリ（９２２）に対して閉鎖させ、これによりモールドアセンブリ（９１８）はモールドキャビティを規定し得る。このモールドキャビティは、ランナーシステム（９１６）からの樹脂を受容するように構成される。ロックアセンブリ（９１４）を係合して可動プラテン（９０８）の位置をロックさせて、可動プラテン（９０８）が固定プラテン（９０６）に相対して移動しないようにする。その後、クランプアセンブリ（９１２）を係合させてキャンピング圧力を使用時においてロッドアセンブリ（９１０）へと付加して、クランプ圧力をモールドアセンブリ（９１８）へと転送することができる。押出機アセンブリ（９０２）は、使用時において樹脂をランナーシステム（９１６）へと押し出すかまたは射出する。その後、ランナーシステム（９１６）は、この樹脂をモールドアセンブリ（９１８）によって規定されたモールドキャビティ構造へと分配する。モールドアセンブリ（９１８）中の樹脂を固化させた後クランプアセンブリ（９１２）を動作停止させて、クランプ力をモールドアセンブリ（９１８）から取り出し、その後、ロックアセンブリ（９１４）を動作停止させて、可動プラテン（９０８）を固定プラテン（９０６）から離隔方向に移動させた後、成形物をモールドアセンブリ（９１８）から取り出すことができる。
【００４４】
成形システム（９００）は、当業者にとって公知のコンポーネントを含み得、これら公知のコンポーネントについては説明を控える。これら公知のコンポーネントについては、（例えば）少なくとも部分的に以下の参考文献に記載がある：（ｉ）「Ｉｎｊｅｃｔｉｏｎ  Ｍｏｌｄｉｎｇ  Ｈａｎｄｂｏｏｋ」（著者：ＯＳＳＷＡＬＤ／ＴＵＲＮＧ／ＧＲＡＭＡＮＮ（ＩＳＢＮ：３−４４６−２１６６９−２）、（ｉｉ）「Ｉｎｊｅｃｔｉｏｎ  Ｍｏｌｄｉｎｇ  Ｈａｎｄｂｏｏｋ」（著者：ＲＯＳＡＴＯ  ＡＮＤ  ＲＯＳＡＴＯ（ＩＳＢＮ：０−４１２−９９３８１−３）、（ｉｉｉ）「Ｉｎｊｅｃｔｉｏｎ  Ｍｏｌｄｉｎｇ  Ｓｙｓｔｅｍｓ」（３ｒｄ  Ｅｄｉｔｉｏｎ、著者：ＪＯＨＡＮＮＡＢＥＲ（ＩＳＢＮ３−４４６−１７７３３−７））および／または（ｉｖ）「Ｒｕｎｎｅｒ  ａｎｄ  Ｇａｔｉｎｇ  Ｄｅｓｉｇｎ  Ｈａｎｄｂｏｏｋ」（著者：ＢＥＡＵＭＯＮＴ（ＩＳＢＮ１−４４６−２２６７２−９）。
【００４５】
集中型電源（公知であり、図示せず）およびコントローラアセンブリ（１０６）は、各システム（１００）に電力を供給し制御を行う。システム（１００）は、成形システム（９００）に対して展開されかつ成形システム（９００）上において用いられる。システム（１００）は、単一の加熱ゾーンを制御することもできるし、あるいは、単一のおよび／またはヒーターアセンブリ（９０３）と関連付けられた複数の熱センサーアセンブリ（１３４）からのフィードバックに基づいて複数の加熱ゾーンを制御することもできる。各システム（１００）は、使用時において、加熱ゾーンそれぞれについて過電流および短絡を保護する。ヒーターアセンブリ（９０３）内を通過する電流は、通常の連続する（許容可能な）電流以下からオーバーロード電流レベルおよび短絡電流へと広範に変化し得る。このオーバーロード電流レベルは、通常の連続電流の２倍または３倍であり得る。短絡電流は、通常の連続電流の何十倍または何百倍であり得る。コントローラアセンブリ（１０６）は、（使用時において）固体負荷スイッチアセンブリ（１３０）を開口させる時間を（所望の場合に）できるだけ最短の時間に制御するように、構成される。電流／時間特性は、事前プログラムされ得、図２のメモリアセンブリ（１０８）中に保存され得る。メモリアセンブリ（１０８）中に保存されたプロセッサにより実行可能な命令は、各加熱ゾーンの測定された電流を記録することと、電流故障が発生した場合に測定された電流を保存することと、（または任意選択肢的に）、故障が発生してもしなくても、測定された電流値を連続的に記録することとをコントローラアセンブリ（１０６）に行わせるように構成される。また、コントローラアセンブリ（１０６）は、リアルタイム産業通信インターフェースバス（公知であり、図示せず）を用いて保存されたデータをリモートインターフェースユニット（図示せず）へ送信することができる。負荷制御アセンブリ（１０２）は、以下を（非限定的に）含み得る：（ｉ）半導体電力デバイス（ＳＣＲ）、（ｉｉ）半導体電力デバイスのためのヒートシンク、（ｉｉｉ）半導体電力デバイスのための制御回路、（ｉｖ）保護回路。リセット回路（図示せず）をシステム（１００）内に設けることにより、システム（１００）の引き外し（トリッピング）の理由が発見または決定された後、オペレータが（手動で）システム（１００）をリセットすることが可能になる。コントローラアセンブリ（１０６）を用いることにより、システム（１００）の引き外しを発生させる電流値および引き外し時間をプログラムおよび／または図２のメモリアセンブリ（１０８）中に保存することができる。回路の引き外し特性は、使い捨て型ヒューズの引き外し曲線を模倣するようにプログラムされ得る。コントローラアセンブリ（１０６）を用いて、他のさらなる機能を行うことができる、例えば、過電圧および不足電圧等。システム（１００）は、使用時において、公知の単一使用で破壊するヒューズと同じ安全機能を提供する。しかし、加えて、公知の単一使用で破壊する（single blow）（使い捨て型）ヒューズアセンブリにおいて必要な空間を解放することにより、より多数の熱ゾーンを収容することができる。
【００４６】
多ゾーンヒーターシステム（１０１）は、成形システム（９００）上において以下の機能を（非限定的に）行い得る：（Ａ）（必要に応じて）適宜にシステム（１００）をオンまたはオフすることにより、押出機アセンブリ（９０２）に必要な熱および／またはランナーシステム（９１６）に必要な熱および／またはモールドアセンブリ（９１８）に必要な熱を制御することと、（Ｂ）電力入力および出力信号を分離することと、（Ｃ）電力および制御信号を分離すること、（Ｄ）ヒーターアセンブリ（９０３）内を流れる電流を感知および演算することと、（Ｅ）電流をデジタル形態に変換して、コントローラアセンブリ（１０６）へと入力することと、（Ｆ）過電流状態が事前設定された制限を一定期間にわたって超えた場合において、固体負荷スイッチアセンブリ（１３０）（固体分岐回路保護デバイス）を開口させることと、（Ｇ）多ゾーンヒーターシステム（１０１）および／またはシステム（１００）の動作を監視および制御することと、（Ｈ）（図示しない公知の）リモートコンピュータシステムと産業バスを通じて通信し、検出された電流値の状態を提供することと、（Ｉ）リモートリセット信号の受信に応答して、固体負荷スイッチアセンブリ（１３０）をオンにすること。
【００４７】
［さらなる記載］
システム（１００）の例のさらなる記載として提供される：節（１）：システム（１００）であって、：負荷制御アセンブリ（１０２）がライン電力端子（８９９）からの電力流を制御できなかった場合、ライン電力端子（８９９）からの電力流を切断するように構成される負荷切断アセンブリ（１０４）であって、負荷制御アセンブリ（１０２）は、ライン電力端子（８９９）からの電力流を制御するように構成される、負荷切断アセンブリ（１０４）。節（２）：システム（１００）であって、ライン電力端子（８９９）からの電力流を制御するように構成される負荷制御アセンブリ（１０２）と、負荷制御アセンブリ（１０２）がライン電力端子（８９９）からの電力流を制御できなかった場合、ライン電力端子（８９９）からの電力流を切断するように構成される負荷切断アセンブリ（１０４）とを含む、システム（１００）。節（３）：本段落中に記載される任意の節のシステム（１００）において、負荷切断アセンブリ（１０４）および負荷制御アセンブリ（１０２）は、協働してライン電力端子（８９９）を（直接的にまたは間接的に）負荷アセンブリ（９０１）へと接続させるように構成され、これにより、電力がライン電力端子（８９９）から負荷アセンブリ（９０１）へと流れる。節（４）：本段落中に記載される任意の節のシステム（１００）は、コントローラアセンブリ（１０６）をさらに含む。コントローラアセンブリ（１０６）は、負荷切断アセンブリ（１０４）によって受信されるべき切断コマンド信号（２０４）を送信するように構成される。切断コマンド信号（２０４）は、負荷制御アセンブリ（１０２）がライン電力端子（８９９）からの電力流を制御できなかった場合、ライン電力端子（８９９）からの電力流を切断するようにコマンドを負荷切断アセンブリ（１０４）に与えるように構成される。節（５）：本段落中に記載される任意の節のシステム（１００）において、：コントローラアセンブリ（１０６）は、負荷切断アセンブリ（１０４）および負荷制御アセンブリ（１０２）と信号を通信するように構成される。節（６）：本段落中に記載される任意の節のシステム（１００）は、コントローラアセンブリ（１０６）をさらに含む。コントローラアセンブリ（１０６）は、負荷制御アセンブリ（１０２）によって受信されるべき制御コマンド信号（２０２）を送信するように構成される。制御コマンド信号（２０２）は、ライン電力端子（８９９）からの電力流を制御するようにコマンドを負荷制御アセンブリ（１０２）に与えるように構成される。節（７）：本段落中に記載される任意の節のシステム（１００）において、負荷切断アセンブリ（１０４）は、ライン電力端子（８９９）へ接続することと、切断コマンド信号（２０４）の受信に応答して、ライン電力端子（８９９）からの電力流を切断することとを行うように構成される。切断コマンド信号（２０４）は、ライン電力端子（８９９）からの電力流を切断するようにコマンドを負荷切断アセンブリ（１０４）に与えるように構成される。節（８）：本段落中に記載される任意の節のシステム（１００）において、負荷制御アセンブリ（１０２）は、負荷アセンブリ（９０１）へ接続することと、負荷切断アセンブリ（１０４）へと接続して、そのため使用時において電力がライン電力端子（８９９）から負荷切断アセンブリ（１０４）および負荷制御アセンブリ（１０２）を介して負荷アセンブリ（９０１）へと流れることと、ライン電力端子（８９９）からの電力流と関連付けられた電力の特性を表示するように構成される表示信号（２１２）を提供することと、および制御コマンド信号（２０２）の受信に応答してライン電力端子（８９９）からの電力流を制御することとを行うように構成される。制御コマンド信号（２０２）は、ライン電力端子（８９９）からの電力流を制御するようにコマンドを負荷制御アセンブリ（１０２）に与えるように構成される。節（９）：本段落中に記載される任意の節のシステム（１００）において、コントローラアセンブリ（１０６）は、負荷切断アセンブリ（１０４）へ接続することと、負荷制御アセンブリ（１０２）へ接続することと、負荷制御アセンブリ（１０２）から表示信号（２１２）を受信することとを行うように構成される。表示信号（２１２）は、ライン電力端子（８９９）からの電力流と関連付けられた電力の特性を示すことと、制御コマンド信号（２０２）を負荷制御アセンブリ（１０２）へ送信することとを行うように構成される。制御コマンド信号（２０２）は、ライン電力端子（８９９）からの電力流を制御するようにコマンドを負荷制御アセンブリ（１０２）に与えるように構成される。節（１０）：本段落中に記載される任意の節のシステム（１００）において、負荷切断アセンブリ（１０４）が動作しなかった場合、コントローラアセンブリ（１０６）は、制御コマンド信号（２０２）を負荷制御アセンブリ（１０２）へ送信することを行うように構成される。制御コマンド信号（２０２）は、ライン電力端子（８９９）からの電力流を切断するようにコマンドを負荷制御アセンブリ（１０２）に与えるように構成される。節（１１）：本段落中に記載される任意の節のシステム（１００）において、負荷制御アセンブリ（１０２）が動作しなかった場合、コントローラアセンブリ（１０６）は、切断コマンド信号（２０４）を負荷切断アセンブリ（１０４）へ送信するように構成される。制御コマンド信号（２０２）は、ライン電力端子（８９９）からの電力流を切断するようにコマンドを負荷制御アセンブリ（１０２）に与えるように構成される。節（１２）：本段落中に記載される任意の節のシステム（１００）において、コントローラアセンブリ（１０６）が負荷切断アセンブリ（１０４）と通信できなかった場合、負荷制御アセンブリ（１０２）は、ライン電力端子（８９９）からの電力流を切断する。節（１３）：本段落中に記載される任意の節システム（１００）において、コントローラアセンブリ（１０６）が負荷制御アセンブリ（１０２）と通信できなかった場合、負荷切断アセンブリ（１０４）は、ライン電力端子（８９９）からの電力流を切断する。節（１４）：本段落中に記載される任意の節のシステム（１００）において、ライン電力端子（８９９）からの電力流と関連付けられた電気故障状態を負荷制御アセンブリ（１０２）が検出した場合、負荷制御アセンブリ（１０２）は、ライン電力端子（８９９）からの電力流を切断するように構成される。節（１５）：本段落中に記載される任意の節のシステム（１００）において、負荷切断アセンブリ（１０４）は、負荷制御アセンブリ（１０２）が電気故障状態を検出したがライン電力端子（８９９）から負荷アセンブリ（９０１）への電力流を切断できなかった場合、ライン電力端子（８９９）からの電力流を切断するように構成される。節（１６）：本段落中に記載される任意の節のシステム（１００）において、負荷制御アセンブリ（１０２）が動作可能であるとコントローラアセンブリ（１０６）が決定した場合、、コントローラアセンブリ（１０６）は、負荷制御アセンブリ（１０２）を用いて、負荷アセンブリ（９０１）への電力流を制御する。コントローラアセンブリ（１０６）が負荷制御アセンブリ（１０２）が動作不可能であると決定した場合、コントローラアセンブリ（１０６）は、負荷切断アセンブリ（１０４）に負荷アセンブリ（９０１）への電力流を制御させる。節（１７）：本段落中に記載される任意の節のシステム（１００）において、負荷制御アセンブリ（１０２）は、入力端子（１２０）と、電流センサー（１２２）とを含む。入力端子（１２０）は、（直接的にまたは間接的に）負荷切断アセンブリ（１０４）へ接続するように構成される。電流センサー（１２２）は、ライン電力端子（８９９）から負荷アセンブリ（９０１）へ流れる電流の量を検出および表示するように構成される。また、負荷制御アセンブリ（１０２）は、電流センサー（１２２）へ接続される第１の光分離アセンブリ（１２４Ａ）、第１の光分離アセンブリ（１２４Ａ）へ接続されるアナログ／デジタルコンバータアセンブリ（１２６）であってコントローラアセンブリ（１０６）へ接続されるアナログ／デジタルコンバータアセンブリ（１２６）、コントローラアセンブリ（１０６）へ接続される電力制御アセンブリ（１２８）、電力制御アセンブリ（１２８）へ接続される第２の光分離アセンブリ（１２４Ｂ）、第２の光分離アセンブリ（１２４Ｂ）へ接続される固体負荷スイッチアセンブリ（１３０）、及び出力端子（１３２）を含む。固体負荷スイッチアセンブリ（１３０）は、ライン電力端子（８９９）からの電力が負荷アセンブリ（９０１）へ流れることを可能とするように構成され、また、ライン電力端子（８９９）から負荷アセンブリ（９０１）への電力流を切断するように構成される。出力端子（１３２）は、（直接的にまたは間接的に）固体負荷スイッチアセンブリ（１３０）を負荷アセンブリ（９０１）へと接続させるように構成される。節（１８）：本段落中に記載される任意の節のシステム（１００）は、負荷アセンブリ（９０１）の温度量を感知するように構成される熱センサーアセンブリ（１３４）をさらに含む。熱センサーアセンブリ（１３４）は、コントローラアセンブリ（１０６）へ接続される。節（１９）：本段落中に記載される任意の節のシステム（１００）は、コントローラアセンブリ（１０６）を負荷切断アセンブリ（１０４）へと接続させるインターフェース回路（１３６）をさらに含む。
【００４８】
本文書の目的のため、（非限定的に）「ｉｎｃｌｕｄｅ」という単語は、「ｃｏｍｐｒｉｓｉｎｇ」に相当することが理解される。「ｃｏｍｐｒｉｓｉｎｇ」という単語は、移行句であるか、または、特許請求項のプリアンブルを本発明を実質的に規定する請求項中に記載される特定の要素へ連結させる結合句である。この移行句は、請求項上への制限として機能し、被疑デバイス（など）が特許中の請求項よりも多数または少数の要素を含む場合に類似のデバイス、方法または組成が特許を侵害するかを示す。「ｃｏｍｐｒｉｓｉｎｇ」という単語は、最も広範な形態のトランジションであるオープントランジションとして取り扱われるべきである、なぜならば、「ｃｏｍｐｒｉｓｉｎｇ」という単語は、請求項中に特定されるいかなる要素にもプリアンブルを限定しないからである。
【００４９】
上記したアセンブリおよびモジュールは、それぞれを明示的に記載する必要無く当業者が組み合わせおよび置換を行うことが可能な範囲内において所望の機能およびタスクを行うために必要な相互に接続が可能であることが理解される。当該分野において利用可能な任意の均等物よりも優れた特定のアセンブリ、コンポーネントまたはソフトウェアコードは存在しない。また、当該機能が実行可能である限り、本発明および／または本発明の例を実行するための特定の例のうち、他の例よりも優れた例は存在しない。本発明の重要な局面は全て、本文書中に記載されていると考えられる。本発明の範囲は、独立請求項（単数または複数）によって提供される範囲に限定されず、本発明の範囲はこれに限定されないことが理解される：（ｉ）従属請求項、（ｉｉ）非限定的な実施形態の詳細な説明、（ｉｉｉ）要旨、（ｉｖ）要約および／または（ｖ）本文書外において提供された記載（すなわち、出願、手続きおよび／または特許付与時の本出願の外部の記載）。本文書の目的のため、「は、以下を（非限定的に）含む」という言い回しは、「ｃｏｍｐｒｉｓｉｎｇ」という単語と同等であることが理解される。上記において、非限定的な実施形態（例）について述べている点に留意されたい。記載は、特定の非限定的な実施形態（例）について述べている。これらの非限定的な実施形態は、ひとえに例示的なものであることが理解される。
【図１】
0005806419.tif 000002
【図２】
0005806419.tif 000003
【図３】
0005806419.tif 000004
【図４】
0005806419.tif 000005